(57)【要約】【課題】ＩＣ化する場合に小型化が図れ、また中間周波数回路のデジタル処理系においてもＩＦ帯域外の信号を十分に減衰させることができるテレビジョン放送受信チューナ用中間周波数回路を提供する。【解決手段】デジタル信号用出力端子Ｔ２とアナログ信号用出力端子Ｔ３を有するテレビジョン放送受信チューナ用中間周波数回路５であって、第１及び第２の増幅回路６０、６１を有した単相差動変換回路５２とを備え、前記第１の増幅回路６０の増幅度を前記第２の増幅回路６１の増幅度より大きく設定し、前記第１の増幅回路６０の出力端を前記デジタル信号出力端子Ｔｏｄに接続し、前記第２の増幅回路６１の出力端を前記アナログ信号出力端子Ｔｏａに接続したことを特徴とする。【選択図】図１
2010278732.tif 000002
【特許請求の範囲】
【請求項１】
デジタル信号用出力端子とアナログ信号用出力端子を有するテレビジョン放送受信チューナ用中間周波数回路であって、
第１及び第２の増幅回路を有した単相差動変換回路を備え、
前記第１の増幅回路の増幅度を前記第２の増幅回路の増幅度より大きく設定し、前記第１の増幅回路の出力端を前記デジタル信号出力端子に接続し、前記第２の増幅回路の出力端を前記アナログ信号出力端子に接続したことを特徴とするテレビジョン放送受信チューナ用中間周波数回路。
【請求項２】
差動出力端子を有する周波数変換回路が前記単相差動変換回路より前段に設けられており、前記周波数変換回路と前記単相差動変換回路との間に差動単相変換回路を設けると共に、前記差動単相変換回路と前記単相差動変換回路との間にフィルタ回路を設けたことを特徴とする請求項１に記載のテレビジョン放送受信チューナ用中間周波数回路。
【請求項３】
前記フィルタ回路は、ＩＦ同調回路及び又はＩＦトラップ回路であることを特徴とする請求項１又は請求項２に記載のテレビジョン放送受信チューナ用中間周波数回路。
【請求項４】
前記単相差動変換回路は、入力端が前記第１の増幅回路の一方の差動入力端子に第１の抵抗を介して接続されると共に、前記第２の増幅回路の他方の差動入力端子に接続され、
前記第１の増幅回路の他方の差動入力端子がキャパシタを介して接地されると共に、前記第２の増幅回路の一方の差動入力端子が第２の抵抗及び前記キャパシタを介して接地されていることを特徴とする請求項１乃至請求項３のいずれかに記載のテレビジョン放送受信チューナ用中間周波数回路。
【請求項５】
前記第１及び第２の増幅回路は、それぞれ帰還抵抗を有する差動増幅回路で構成され、
前記第１の抵抗の値と前記第１の増幅回路の帰還抵抗の値との比率により前記第１の増幅回路の増幅度が設定され、
前記第２の抵抗の値と前記第２の増幅回路の帰還抵抗の値との比率により前記第２の増幅回路の増幅度が設定されることを特徴とする請求項４に記載のテレビジョン放送受信チューナ用中間周波数回路。
【発明の詳細な説明】
【技術分野】
【０００１】
本発明は、地上アナログ放送のテレビジョン信号と地上デジタル放送のテレビジョン信号とを選択的に受信するテレビジョン放送受信チューナに用いて好適なテレビジョン放送受信チューナ用中間周波数回路に関する。
【背景技術】
【０００２】
従来、１つのチューナで地上波アナログ放送と地上波デジタル放送とに対応可能とするため、地上波アナログ放送のテレビジョン信号と地上波デジタル放送のテレビジョン信号とを選択的に受信できるようにしたテレビジョン放送受信チューナがある（例えば、特許文献１参照）。
【０００３】
図４は、地上波アナログ放送と地上波デジタル放送とに対応可能に構成したテレビジョン放送受信チューナの回路ブロック図である。同図に示すテレビジョン放送受信チューナ５０は、フロントエンド回路２と、周波数変換回路３と、中間周波数回路４とを主に備えて構成される。
【０００４】
フロントエンド回路２は、入力端子Ｔｉに入力されたＲＦ信号（デジタル波のテレビジョン信号とアナログ波のテレビジョン信号）を増幅するＬＮＡ（Low  Noise  Amplifier）２１と、減衰量の調整が可能でＬＮＡ２１から出力されたＲＦ信号を減衰させるアッテネータ（ＡＴＴ：Attenuator）２２と、通過帯域を調整可能で減衰器２２を通過したＲＦ信号の帯域を制限するＢＰＦ(Band  Pass  Filter)２３と、ＢＰＦ２３を通過したＲＦ信号を増幅するＲＦ-ＶＧＡ(RF-Variable  Gain  Amplifier)２４とを備える。
【０００５】
周波数変換回路３は、イメージ帯域を除去するＰＰＦ(Poly  Phase  Filter)３１と、ＲＦ信号をＩＦ信号に変換する周波数変換器３２と、イメージ帯域を除去するＰＰＦ３３と、ＩＦ帯域の信号を通過させるＩＦＬＰＦ(IF  Low  Pass  Filter)３４とを備える。フロントエンド回路２及び周波数変換回路３は、歪みを低減させることから差動信号出力構成となっている。
【０００６】
中間周波数回路４は、ＩＦ-ＡＭＰ４１と、ＩＦ-ＳＡＷ４２と、ＩＦ-ＶＧＡ４３と、差動単相変換回路４４と、フィルタ回路（ＩＦ同調回路及び又はＩＦトラップ回路）４５と、単相差動変換回路４６と、ＩＦ-ＳＷＡ４７とを備える。ＩＦ-ＡＭＰ４１は、周波数変換回路３から出力された差動のＩＦ信号を所定レベルまで増幅して出力する。ＩＦ-ＳＡＷ４２は、ＩＦ-ＡＭＰ４１から出力されたＩＦ信号の帯域内妨害波を低減する。ＩＦ-ＶＧＡ４３は、増幅の調整を可能とし、調整された増幅度でＩＦ-ＳＡＷ４２を通過したＩＦ信号を増幅して出力する。差動単相変換回路４４は、差動の信号を単相の信号に変換する機能を有し、周波数変換回路３から出力された差動のＩＦ信号を単相に変換し、増幅して出力する。フィルタ回路４５は、ＩＦ帯域外の信号を減衰させる。単相差動変換回路４６は、単相の信号を差動の信号に変換する機能を有し、フィルタ回路４５を通過してきた単相のＩＦ信号を差動に変換し、増幅して出力する。ＩＦ-ＳＡＷ４７は、単相差動変換回路４６から出力された差動のＩＦ信号の帯域内妨害波を低減する。
【０００７】
このような構成のテレビジョン放送受信チューナ５０では、周波数変換回路３からアナログとデジタルに分岐し、デジタル変調されたテレビジョン信号を受信したときは、ＩＦ-ＡＭＰ４１でＩＦ信号を増幅し、ＩＦ-ＳＡＷ４２でＩＦ信号の帯域内妨害波を低減させ、ＩＦ-ＶＧＡ４３でＩＦ-ＳＡＷ４２を通過したＩＦ信号を増幅してデジタル信号用出力端子Ｔｏｄから差動出力する。また、アナログ変調されたテレビジョン信号を受信したときは、差動単相変換回路４４で単相差動変換を行い、フィルタ回路４５を通過させた後、単相差動変換回路４６で単相差動変換を行い、ＩＦ-ＳＡＷ４７を介してアナログ信号用出力端子Ｔｏａから差動出力する。
【先行技術文献】
【特許文献】
【０００８】
【特許文献１】特開平１１−１７７４５６号公報
【発明の概要】
【発明が解決しようとする課題】
【０００９】
しかしながら、従来のテレビジョン放送受信チューナは、中間周波数回路のアナログ処理系とデジタル処理系のそれぞれにおいて増幅器（ＩＦ-ＡＭＰ４１、４３、差動単相変換回路４４及び単相差動変換回路４６を必要とすることから、ＩＣ（集積回路）化する場合にＩＣ内での面積が増加し、小型化に限界がある。
【００１０】
また、中間周波数回路はデジタル処理系にフィルタ回路（ＩＦ同調回路及び又はＩＦトラップ回路）を持たないので、ＩＦ帯域外の信号を十分に減衰させることができないという問題もあった。
【００１１】
本発明は、かかる点に鑑みてなされたものであり、アンプの数を削減して小型化を図ることができると共に、中間周波数回路のデジタル処理系においてもＩＦ帯域外の信号を十分に減衰させることができるテレビジョン放送受信チューナ用中間周波数回路を提供することを目的とする。
【課題を解決するための手段】
【００１２】
本発明のテレビジョン放送受信チューナ用中間周波数回路は、デジタル信号用出力端子とアナログ信号用出力端子を有するテレビジョン放送受信チューナ用中間周波数回路であって、第１及び第２の増幅回路を有した単相差動変換回路とを備え、前記第１の増幅回路の増幅度を前記第２の増幅回路の増幅度より大きく設定し、前記第１の増幅回路の出力端を前記デジタル信号出力端子に接続し、前記第２の増幅回路の出力端を前記アナログ信号出力端子に接続したことを特徴とする。
【００１３】
この構成によれば、単相差動変換回路を構成する第１及び第２の増幅回路を、アナログとデジタルとで別々に使用するようにしたので、中間周波数回路に用いられる増幅器の数を削減することができ、これによってＩＣ化する場合に小型化が図れる。
【００１４】
また、第１の増幅回路の増幅度を第２の増幅回路の増幅度より大きく設定することで、アナログ波のテレビジョン信号よりも低いレベルで送信されるデジタル波のテレビジョン信号をアナログ波のテレビジョン信号と同レベルまで増幅することができ、デジタル波のテレビジョン信号を効率良く復調することができる。
【００１５】
また本発明では、上記テレビジョン放送受信チューナ用中間周波数回路において、差動出力端子を有する周波数変換回路が前記単相差動変換回路より前段に設けられており、前記周波数変換回路と前記単相差動変換回路との間に差動単相変換回路を設けると共に、前記差動単相変換回路と前記単相差動変換回路との間にフィルタ回路を設けたことを特徴とする。
【００１６】
この構成によれば、フィルタ回路を単相用として設計できるので、フィルタ回路の小型化が可能となる。
【００１７】
また本発明では、上記テレビジョン放送受信チューナ用中間周波数回路において、前記フィルタ回路は、ＩＦ同調回路及び又はＩＦトラップ回路であることを特徴とする。
【００１８】
この構成によれば、フィルタ回路をアナログとデジタルで共用するので、デジタル信号受信時にもＩＦ帯域外の信号を十分に減衰さることができる。
【００１９】
また本発明では、上記テレビジョン放送受信チューナ用中間周波数回路において、前記単相差動変換回路は、入力端が前記第１の増幅回路の一方の差動入力端子に第１の抵抗を介して接続されると共に、前記第２の増幅回路の他方の差動入力端子に接続され、前記第１の増幅回路の他方の差動入力端子がキャパシタを介して接地されると共に、前記第２の増幅回路の一方の差動入力端子が第２の抵抗及び前記キャパシタを介して接地されていることを特徴とする。
【００２０】
この構成によれば、デジタル信号の受信時には、第１の増幅回路から単相のＩＦ信号が出力され、アナログ信号の受信時には、第２の増幅回路から単相のＩＦ信号が出力される。このように、単相差動変換回路がアナログ信号とデジタル信号の双方の信号を扱うので、中間周波数回路に用いられる増幅器の数を削減することができる。
【００２１】
また本発明では、上記テレビジョン放送受信チューナ用中間周波数回路において、前記第１及び第２の増幅回路は、それぞれ帰還抵抗を有する差動増幅回路で構成され、前記第１の抵抗の値と前記第１の増幅回路の帰還抵抗の値との比率により前記第１の増幅回路の増幅度が設定され、前記第２の抵抗の値と前記第２の増幅回路の帰還抵抗の値との比率により前記第２の増幅回路の増幅度が設定されることを特徴とする。
【００２２】
この構成によれば、第１の抵抗及び第１の増幅回路の帰還抵抗、第２の抵抗及び第２の増幅回路の帰還抵抗それぞれの値を決ることで、容易に第１の増幅回路の増幅度を第２の増幅回路の増幅度より大きく設定することができる。
【発明の効果】
【００２３】
本発明によれば、単相差動変換回路をアナログとデジタルで共用するようにしたので、中間周波数回路に用いられる増幅器の数を削減することができる。
また、差動出力端子を有する周波数変換回路と単相差動変換回路との間に差動単相変換回路を設けると共に、差動単相変換回路と単相差動変換回路との間にフィルタ回路を設けたので、デジタル信号受信時にもＩＦ帯域外の信号を十分に減衰さることができる。
【図面の簡単な説明】
【００２４】
【図１】本発明の実施の形態１に係るテレビジョン放送受信チューナを示す回路図である。
【図２】図１の単相差動変換回路を示す回路図である。
【図３】本発明の実施の形態２に係るテレビジョン放送受信チューナを示す回路図である。
【図４】本発明者が案出した従来のテレビジョン放送受信チューナを示す回路図である。
【発明を実施するための形態】
【００２５】
以下、本発明の実施の形態について添付図面を参照して詳細に説明する。
（実施の形態１）
図１は、本発明の実施の形態１に係るテレビジョン放送受信チューナを示す回路図である。なお、前述した図４に示すテレビジョン放送受信チューナ５０の各要素と共通する部分には同一符号を付けている。
【００２６】
本実施の形態のテレビジョン放送受信チューナ１は、フロントエンド回路２と、周波数変換回路３と、中間周波数回路５とを主に備えて構成される。
【００２７】
フロントエンド回路２は、入力端子Ｔｉに入力されたＲＦ信号（デジタル波テレビジョン信号及びアナログ波テレビジョン信号）を増幅するＬＮＡ２１と、ＬＮＡ２１から出力されたＲＦ信号を調整可能な減衰量で減衰させる減衰器２２と、減衰器２２を通過したＲＦ信号の帯域を制限して放送帯域外を抑制するＢＰＦ２３と、ＢＰＦ２３を通過したＲＦ信号を増幅するＲＦ-ＶＧＡ２４とを備える。
【００２８】
周波数変換回路３は、イメージ帯域を除去するＰＰＦ（polyphase-filter）３１と、ＲＦ信号をＩＦ信号に変換する周波数変換器３２と、イメージ帯域を除去するＰＰＦ３３と、ＩＦ帯域の希望波信号を通過させるＩＦ-ＬＰＦ３４とを備える。フロントエンド回路２及び周波数変換回路３は、歪み低減を目的として差動信号出力構成となっている。
【００２９】
中間周波数回路５は、差動単相変換回路５１と、単相差動変換回路５２と、デジタル受信用のＩＦ-ＳＡＷ５３と、ＩＦ-ＶＧＡ５４と、アナログ受信用のＩＦ-ＳＡＷ５５とを備える。差動単相変換回路５１と単相差動変換回路５２の間には、フィルタ回路（ＩＦ同調回路及び又はＩＦトラップ回路）５６が接続される。このフィルタ回路５６をＩＣ回路外に外付けしているのは、このフィルタ回路そのものが大型であるからである。
【００３０】
差動単相変換回路５１は、差動の信号を単相の信号に変換する機能を有し、周波数変換回路３から出力された差動のＩＦ信号を単相に変換し、増幅して出力する。単相差動変換回路５２は、単相の信号を差動の信号に変換する機能を有し、フィルタ回路５６を通過してきた単相のＩＦ信号を差動に変換し、増幅して出力する。
【００３１】
ここで、単相差動変換回路５２についてさらに詳しく説明する。
図２は、単相差動変換回路５２を示す回路図である。同図において、単相差動変換回路５２は、デジタル信号とアナログ信号が入力される入力端子Ｔ１と、オペアンプからなる第１の増幅回路６０と、オペアンプからなる第２の増幅回路６１とを備える。第１の増幅回路６０の反転入力端子（−入力端）及び第２の増幅回路６１の非反転入力端子（＋入力端）は直流カット用のコンデンサ６２を介して入力端子Ｔ１に接続されている。また、第１の増幅回路６０の非反転入力端子（＋入力端）及び第２の増幅回路６１の反転入力端子（−入力端）はコンデンサ６３を介して高周波的に接地されている。第１及び第２の増幅回路６０の出力端は抵抗６４及び６５を介して単相差動変換回路５２の出力端Ｔ２，Ｔ３に接続されている。単相差動変換回路５２の出力端Ｔ２はデジタル信号用出力端子であり、出力端Ｔ３はアナログ信号用出力端子である。
【００３２】
第１の増幅回路６０において、演算増幅器６０１の反転入力端（−入力端）とコンデンサ６２との間に抵抗（第１の抵抗）６０２が接続され、演算増幅器６０１の反転入力端（−入力端）と出力端との間に抵抗（帰還抵抗）６０３及びコンデンサ６０４が並列接続される。
【００３３】
第２の増幅回路６１において、演算増幅器６１１の反転入力端（−入力端）とコンデンサ６３との間に抵抗（第２の抵抗）６１２が接続され、演算増幅器６１１の反転入力端（−入力端）と出力端との間に抵抗（帰還抵抗）６１３及びコンデンサ６１４が並列接続されている。
【００３４】
上記構成の単相差動変換回路５２を差動増幅器として使用する場合、第１の増幅回路６０と第２の増幅回路６１の増幅度をそれぞれ同じ値にするが、デジタル波のテレビジョン信号を受信する場合、その信号レベルがアナログ波のテレビジョン信号よりも低いため、デジタル波のテレビジョン信号を増幅する方の増幅度を高くする必要がある。本実施の形態では第１の増幅回路６０をデジタル信号の増幅用として用いるので、第１の増幅回路６０の増幅度が第２の増幅回路６１の増幅度よりも大きくなるように、抵抗６０２と抵抗６０３の値を決定している。第１の増幅回路６０の増幅度は、抵抗６０２の値と抵抗６０３の値との比率により決まり、第２の増幅回路６１の増幅度は、抵抗６１２の値と抵抗６１３の値との比率により決まる。
【００３５】
また、デジタル波のテレビジョン信号を受信する場合は、第１の増幅回路６０がオンし、第２の増幅回路６１がオフする。これに対して、アナログ波のテレビジョン信号を受信する場合は、第２の増幅回路６１がオンし、第１の増幅回路６０がオフする。この第１の増幅回路６０と第２の増幅回路６１のオン／オフ制御は図示せぬ復調回路より行われる。
【００３６】
因みに、デジタル波のテレビジョン信号の信号レベルがアナログ波のテレビジョン信号よりも低い理由は、現行では地上アナログ放送が主体であって、地上デジタル放送に完全に移行していないからであり、デジタル波のテレビジョン信号がアナログ波のテレビジョン信号に悪影響を及ぼさないようにするために、デジタル波のテレビジョン信号の信号レベルを低くして送信している。
【００３７】
図１に戻り、ＩＦ-ＳＡＷ５３は、単相差動変換回路５２から出力された単相のＩＦ信号の帯域内妨害波を低減する。デジタル受信用のＩＦ-ＳＡＷ５３は、入力された単相のＩＦ信号を差動として出力する。ＩＦ-ＶＧＡ５４は、ＩＦ-ＳＡＷ５３を通過した差動のＩＦ信号を増幅してチューナのデジタル信号出力端子Ｔｏｄから出力する。ＩＦ-ＶＧＡ５４の増幅度の調整は図示せぬ復調回路より行われる。
【００３８】
フィルタ回路５６は、ＩＦ帯域外の信号を減衰させる。アナログ受信用のＩＦ-ＳＡＷ５５は、単相差動変換回路５２から出力された単相のＩＦ信号の帯域内妨害波を低減する。ＩＦ-ＳＡＷ５５は、入力された単相のＩＦ信号を差動としてチューナのアナログ信号出力端子Ｔｏａから出力する。
【００３９】
このような構成のテレビジョン放送受信チューナ１では、デジタル波のテレビジョン信号を受信したときは、周波数変換回路３から出力された差動のＩＦ信号を差動単相変換回路５１で単相に変換してフィルタ回路５６へ送る。そして、フィルタ回路５６を通過したＩＦ信号を単相差動変換回路５２の第１の増幅回路６０が増幅して単相のＩＦ信号として出力する。そして、デジタル受信用のＩＦ-ＳＡＷ５３で、単相のＩＦ信号の帯域内妨害波を低減し、差動のＩＦ信号として出力し、その差動のＩＦ信号をＩＦ-ＶＧＡ５４で増幅してチューナのデジタル信号出力端子Ｔｏｄから差動出力する。
【００４０】
一方、アナログ変調されたテレビジョン信号を受信したときは、周波数変換回路３から出力された差動のＩＦ信号を差動単相変換回路５１で単相に変換してフィルタ回路５６へ送る。そして、フィルタ回路５６を通過したＩＦ信号を単相差動変換回路５２の第２の増幅回路６１が増幅して単相のＩＦ信号として出力する。そして、アナログ受信用のＩＦ-ＳＡＷ５５で単相のＩＦ信号の帯域内妨害波を低減し、差動のＩＦ信号としてチューナのアナログ信号出力端子Ｔｏａから差動出力する。
【００４１】
このように、本実施の形態のテレビジョン放送受信チューナ１では、ＩＦ同調用のフィルタ回路５６から出力された単相のＩＦ信号を単相差動変換回路５２へ入力してＩＦ信号を差動形式で取り出し、一方のＩＦ信号をデジタル受信系（ＩＦ-ＳＡＷ５３）へ供給し、他方のＩＦ信号をアナログ受信系（ＩＦ-ＳＡＷ５５）へ供給するので、中間周波数回路５で使用するアンプの個数を従来のテレビジョン放送受信チューナ５０における中間周波数回路４で使用するアンプの個数よりも少なくできる。すなわち、図４に示す従来のテレビジョン放送受信チューナ５０における中間周波数回路４ではアンプの数が「４」であるのに対し、本実施の形態のテレビジョン放送受信チューナ１における中間周波数回路５ではアンプの数が「３」となる。したがって、中間周波数回路に用いられるアンプの数を削減することができ、中間周波数回路５が小型化されてＩＣ化を図ることができる。
【００４２】
また、第１の増幅回路６０の増幅度を第２の増幅回路６１の増幅度より大きく設定することで、アナログ波のテレビジョン信号よりも低いレベルで送信されるデジタル波のテレビジョン信号をアナログ波のテレビジョン信号と同レベルまで増幅することができ、デジタル波のテレビジョン信号を効率良く復調することができる。
【００４３】
また、差動単相変換回路５１と単相差動変換回路５２を設けたことで、フィルタ回路５６を単相用として設計でき、フィルタ回路５６の小型化が可能となる。また、フィルタ回路５６の介挿によって、アナログ信号受信時のみならず、デジタル信号受信時でもＩＦ帯域外の信号を十分に減衰さることができる。
【００４４】
（実施の形態２）
図３は、本発明の実施の形態２に係るテレビジョン放送受信チューナを示す回路図である。なお、前述した図１のテレビジョン放送受信チューナ１及び図４のテレビジョン放送受信チューナ５０と共通する部分には同一の符号を付けている。
【００４５】
前述した実施の形態１のテレビジョン放送受信チューナ１は、アナログ放送とデジタル放送の両方に対応できるものであるが、デジタル放送に完全に移行した後は、デジタル放送のみ対応できればよい。本実施の形態のテレビジョン放送受信チューナ８は、デジタル放送のみ対応するものである。なお、フロントエンド回路２と周波数変換回路３は、実施の形態１のテレビジョン放送受信チューナ１のものと同一であるので、説明を省略する。
【００４６】
本実施の形態のテレビジョン放送受信チューナ８の中間周波数回路７０は、差動単相変換回路５１と、単相差動変換回路５２と、差動用のＩＦ-ＳＡＷ７１と、ＩＦ-ＶＧＡ５４とを備える。差動単相変換回路５１と単相差動変換回路５２の間にはフィルタ回路（ＩＦ同調回路及び又はＩＦトラップ回路）５６が接続される。
【００４７】
差動単相変換回路５１は、差動の信号を単相の信号に変換する機能を有し、周波数変換回路３から出力された差動のＩＦ信号を単相に変換し、増幅して出力する。単相差動変換回路５２は、単相の信号を差動の信号に変換する機能を有し、フィルタ回路５６を通過してきた単相のＩＦ信号を差動に変換し、増幅して出力する。ＩＦ-ＳＡＷ７１は、差動入出力が可能で、単相差動変換回路５２から出力された差動のＩＦ信号の帯域内妨害波を低減する。ＩＦ-ＶＧＡ５４は、増幅の調整を可能とし、調整された増幅度でＩＦ-ＳＡＷ７１を通過した差動のＩＦ信号を増幅してチューナのデジタル信号出力端子Ｔｏｄから出力する。フィルタ回路５６は、ＩＦ帯域外の信号を減衰させる。
【００４８】
このような構成のテレビジョン放送受信チューナ８では、デジタル波のテレビジョン信号を受信したときは、周波数変換回路３から出力された差動のＩＦ信号を差動単相変換回路５１で単相に変換してフィルタ回５６へ送る。そして、フィルタ回路５６を通ってきたＩＦ信号を単相差動変換回路５２で差動のＩＦ信号として出力する。そして、ＩＦ-ＳＡＷ７１で、差動のＩＦ信号の帯域内妨害波を低減し、差動のＩＦ信号として出力し、その差動のＩＦ信号をＩＦ-ＶＧＡ５４で増幅してチューナのデジタル信号出力端子Ｔｏｄから差動出力する。
【００４９】
このように、本実施の形態によれば、アナログ放送とデジタル放送の両方に対応できるテレビジョン放送受信チューナの中間周波回路の回路構成を利用して、簡単な設計変更でデジタル放送受信専用の回路構成に変更ができる。
【００５０】
なお、上述した実施の形態１のテレビジョン放送受信チューナ１と実施の形態２のテレビジョン放送受信チューナ８は、それぞれフィルタ回路５６を除いてＩＣ化し、フィルタ回路５６を外付けするようにしたが、ＩＣ化する必要が無い場合は、同一基板上にフロントエンド回路２、周波数変換回路３、中間周波数回路５又は７０、及びフィルタ回路５６を実装すればよい。
【産業上の利用可能性】
【００５１】
本発明は、地上アナログ放送のテレビジョン信号と地上デジタル放送のテレビジョン信号とを選択的に受信するテレビジョン放送受信チューナに適用可能である。
【符号の説明】
【００５２】
１      テレビジョン放送受信チューナ
２      フロントエンド回路
３      周波数変換回路
５      中間周波数回路
２１    ＬＮＡ
２２    減衰器
２３    ＢＰＦ
２４    ＲＦ-ＶＧＡ
３１    ＰＰＦ
３２    周波数変換器
３３    ＰＰＦ
３４    ＩＦ-ＬＰＦ
５１    差動単相変換回路
５２    単相差動変換回路
５３    ＩＦ-ＳＡＷ(デジタル受信用)
５５    ＩＦ-ＳＡＷ(アナログ受信用)  
５６    フィルタ回路
Ｔ１    入力端子  
６０    第１の増幅回路
６１    第２の増幅回路
６２      コンデンサ
６３      コンデンサ
６４      抵抗
６５      抵抗
７１      ＩＦ-ＳＡＷ(デジタル受信用)
【図１】
2010278732.tif 000003
【図２】
2010278732.tif 000004
【図３】
2010278732.tif 000005
【図４】
2010278732.tif 000006